(57)【要約】【課題】低背なスイッチをパネルに確実に取り付けられるスイッチ取付構造を提案する。【解決手段】パネルの取付孔にハウジング１０を嵌め込み、フランジ１２をパネルに当接させて、ロッカスイッチ２を前記パネルに着脱自在に取り付けるスイッチの取付構造において、ハウジング１０の側面１０Ｄに装着時に取付孔の内周面と係合するパネル取付部１３を備える。パネル係止部１３が、フランジ１２と対向するハウジング１０の底１０Ｅより、フランジ１２に向け側面１０Ｄから離れる方向に延びる複数の係止片１３Ａで構成する。それぞれの係止片１３アは、底１０Ｅからフランジ１２へ延び且つハウジング１０の中心を通る中心軸Ｃに対して傾いた方向に延伸している。【選択図】図１
2018125206.tif 000002
【特許請求の範囲】
【請求項１】
パネルの取付孔にスイッチのハウジングを嵌め込み、該ハウジングのフランジを前記パネルに当接させて、前記スイッチを前記パネルに着脱自在に取り付けるスイッチ取付構造において、
前記フランジから連続する前記ハウジングの側面に形成され、前記取付時に前記取付孔の内周面と係合する係止部を備え、
該係止部が、前記フランジと対向する位置にあるハウジングの底部より、前記フランジに向け前記側面から離れる方向に延びる複数の係止片からなり、
各該係止片が、前記底部から前記フランジへ延び且つ前記ハウジングの中心を通る中心軸に対して傾いた方向に延伸していることを特徴とするスイッチ取付構造。
【請求項２】
前記複数の係止片が、前記中心軸に対して回転対称の位置にそれぞれ形成されていることを特徴とする請求項１に記載のスイッチ取付構造。
【請求項３】
前記複数の係止片が、前記中心軸を含む平面に対して対称な形状で対をなすように形成されていることを特徴とする請求項１または２に記載のスイッチ取付構造。
【請求項４】
前記複数の係止片が、前記ハウジングの互いに対向する面に形成されていることを特徴とする請求項１〜３のいずれか１項に記載のスイッチ取付構造。
【請求項５】
請求項１〜４のいずれか１項に記載のスイッチ取付構造を備えるスイッチ。
【発明の詳細な説明】
【技術分野】
【０００１】
本発明は、パネルの取付孔にハウジングを嵌め込むことにより、スイッチをパネルに着脱自在に取り付けるスイッチ取付構造およびこれを用いたスイッチに関する。
【背景技術】
【０００２】
従来から、民生機器や産業機器等には、ロッカスイッチに代表される電源スイッチが広く利用されている。また、電源スイッチは、各種機器の操作パネルに形成された取付孔に嵌め込まれて使用されることが多い。
【０００３】
特許文献１には、ハウジングの側面に形成された、片持ち梁状の取付バネを用いたスナップイン方式のスイッチ取付構造が提案されている。また、近年では、各種機器の薄型化が進み、パネル下の空間を有効利用するため、電源スイッチの低背化が要望されている。
【先行技術文献】
【特許文献】
【０００４】
【特許文献１】特開２０１５−４１４０６号公報
【発明の概要】
【発明が解決しようとする課題】
【０００５】
しかしながら、スイッチを低背化させる上で特許文献１に提案されたスイッチ取付構造では、取付バネの基端部と取付孔と当接する先端部との距離が短いため、取付バネの基端への負荷が強く、取付バネ自体が破損してしまう虞がある。
【０００６】
本発明の目的は、上記事情に鑑み、パネルに形成された取付孔にハウジングを嵌め込むことにより、スイッチをパネルに取り付けるスイッチ取付構造において、低背スイッチであっても確実にパネルに固定することである。
【課題を解決するための手段】
【０００７】
本発明のスイッチ取付構造は、パネルの取付孔にスイッチのハウジングを嵌め込み、ハウジングのフランジをパネルに当接させて、スイッチをパネルに着脱自在に取り付けるスイッチ取付構造において、フランジから連続するハウジングの側面に形成され、取付時に取付孔の内周面と係合する係止部を備え、係止部が、フランジと対向する位置にあるハウジングの底部より、フランジに向け側面から離れる方向に延びる複数の係止片からなり、各係止片が、底部からフランジへ延び且つハウジングの中心軸に対して傾いた方向に延伸していることを特徴とする。
【０００８】
ここで、本発明のスイッチ取付構造における「ハウジングの側面に形成」とは、たとえば一体成形のように一部品として構成されるものに限定されず、別部品として構成されるものも含む広い意味である。また、上記「内周面」とは、パネルの厚み方向に平行な周面を意味する。また、上記「中心軸」は中心軸の軸心方向を意味する。
【０００９】
また、上記「傾いた方向に延伸」とは、係止片の基端から先端までの全部が、一直線上に傾いて延伸する状態に限定されず、少なくとも一部分が傾いた方向に延伸することにより、中心軸に対して傾いて延びているように視認できる状態をも含む意味である。
【００１０】
また、本発明のスイッチ取付構造において、複数の係止片は、中心軸に対して回転対称の位置にそれぞれ形成されていてもよい。
【００１１】
また、本発明のスイッチ取付構造において、複数の係止片は、中心軸を含む平面に対して対称な形状で対をなすように形成されていてもよい。
【００１２】
また、本発明のスイッチ取付構造において、複数の係止片は、ハウジングの互いに対向する面に形成されてもよい。
【発明の効果】
【００１３】
本発明によれば、係止部が、フランジと対向する位置にあるハウジングの底部より、フランジに向け側面から離れる方向に延びる複数の係止片からなり、各係止片が、底部からフランジへ延び且つハウジングの中心を通る中心軸に対して傾いた方向に延伸しているため、底部側の基端とフランジ側の先端との距離を長くすることができ、たとえ低背なスイッチであっても係止片を破損することなく、パネルに取り付けることができる。
【００１４】
また、本発明によれば、複数の係止片は、中心軸に対して回転対称の位置にそれぞれ形成されている場合、偏る姿勢をなすことなく、低背なスイッチをパネルに取り付けることができる。
【００１５】
また、本発明によれば、複数の係止片は、中心軸を含む平面に対して対称な形状で対をなすように形成した場合も、偏った姿勢をなすことなく、低背なスイッチをパネルに取り付けることができる。
【図面の簡単な説明】
【００１６】
【図１】ロッカスイッチの外観を示す斜視図
【図２】ロッカスイッチの正面図
【図３】ロッカスイッチの左側面図
【図４】ロッカスイッチの右側面図
【図５】ロッカスイッチの底面図
【図６】ロッカスイッチのパネルへの取付状態図
【図７】ロッカスイッチの分解斜視図
【図８】ロッカスイッチの作用を示す断面図
【図９】スイッチ取付構造のバリエーション群を示す図（その１）
【図１０】スイッチ取付構造のバリエーション群を示す図（その２）
【発明を実施するための形態】
【００１７】
本発明の実施形態について図面を用いて詳細に説明する。図１は本発明の一実施形態であるスイッチ取付構造１を有するロッカスイッチ２の斜視図、図２はロッカスイッチ２の正面図、図３はロッカスイッチ２の左側面図、図４はロッカスイッチ２の右側面図、図５はロッカスイッチ２の底面図、図６はロッカスイッチ２のパネルへの取付状態図、図７はロッカスイッチ２の分解斜視図、図８はロッカスイッチ２の作用を示す図をそれぞれ示す。
【００１８】
ロッカスイッチ２は、ハウジング１０、ハウジング１０に揺動自在に支持される転換子２０、転換子２０に挿入保持されるバネ３０、バネ３０により付勢される滑動棒４０、ハウジング１０に保持される接触端子５０、接触端子５０に固定される固定接点６０、ハウジング１０に保持される共通端子７０、共通端子７０に係止された可動接片８０、可動接片８０に固定される可動接点９０、転換子２０に固定されたボタン１００とから構成される。
【００１９】
最初にハウジング１０について説明する。ハウジング１０は略直方体の形状を有する。そして、ハウジング１０の開口面１０Ａには矩形状の開口部１１が形成されている。ハウジング１０の長尺方向の側面１０Ｂには、開口部１１と連通する挿入孔１０Ｃが軸A上に形成されている。また、開口部１１の底１１Ａには、開口１１Ｂに向かって壁１１Ｃが立設されている。
【００２０】
ハウジング１０は開口面１０Ａ側にフランジ部１２を有している。また、ハウジング１０の短尺方向の側面１０Ｄには、本発明の一実施形態であるスイッチ取付構造を構成するパネル係止部１３がそれぞれ形成されている。また、ロッカスイッチ２は、被取付対象であるパネル（不図示）の取付孔に、フランジ部１２を当接するまで嵌め込み、パネル係止部１３が取付孔の側周面を押圧することにより、取り付けられる。パネル係止部１３の詳細は後述する。
【００２１】
なお、ハウジング１０の材質は、絶縁性を有するものであれば、特に限定されるものではなく、たとえば公知な樹脂材料であってもよい。そして、ハウジング１０の形状も特に限定されず、立方体状や円柱状であってもよい。
【００２２】
次に接触端子５０、固定接点６０および共通端子７０について説明する。接触端子５０は、一方をハウジング１０の底面１０Ｅから露出させ他方を底１１Ａから露出させている。固定接点６０は接触端子５０を介して底１１Ａ上に配置される。共通端子７０は、一方を底面１０Ｅから露出させ他方を壁１１Ｃから軸A側へ露出させている。
【００２３】
接触端子５０および共通端子７０は、底面１０Ｅに対して平行に折り曲げられ、パネル面下の高さを抑えている。また、接触端子５０と共通端子７０とは軸A方向にオフセットして配置されている。なお、接触端子５０および共通端子７０の材質は、導電性を有すものであれば特に限定されず、公知な金属材料であってもよい。
【００２４】
次に可動接片８０および可動接点９０について説明する。可動接片８０は滑動棒４０が当接する一端部８１、可動接点９０が固定される他端部８２、一端部８１と他端部８２を連結する中間部８３からなる。なお、可動接点９０の材質は、可撓性を有し且つ導電性を有するものであれば、特に限定されず、例えば公知な金属材料であってもよい。そして、固定接点６０および可動接点９０の各材質も特に限定されず、公知な接点材料でよい。
【００２５】
中間部８３は軸Aの方向に延びている。一端部８１および他端部８２は、軸Aと直交する平面に対して並行であり且つ互いに交差する方向に延びている。そして、一端部８１は中央近傍で共通端子７０に係止されている。可動接片８０は、この係止部分を回動中心とする軸Ａと平行な軸Ｂの回りでシーソー動作が可能である。
【００２６】
次に転換子２０、バネ３０および滑動棒４０について説明する。転換子２０は、側面１０Ｂと対向する転換子側面に形成された突起２１を挿入孔１０Ｃに挿入させることにより、軸Ａの回りに揺動自在である。
【００２７】
また、転換子２０には、略矩形状の切欠部２２、切欠部２２内に開口する有底孔２３および収容孔２４が形成されている。有底孔２３は軸Ａと直交する方向に形成されている。収容孔２４は、開口１１Ｂの側の転換子表面２０Ａと底１１Ａの側の転換子裏面２０Ｂとを貫通する。なお、転換子２０の材質は、特に限定されず、公知な樹脂、金属または非金属であってもよい。
【００２８】
バネ３０および滑動棒４０は有底孔２３にそれぞれ収容される。また、滑動棒４０は、その基端部４１が有底孔２３内でバネ３０を撓ませ、且つその先端部４２を切欠部２２内に突出させた状態で転換子２０に支持されている。バネ３０は公知なバネ材からなる。滑動棒４０の材質は、剛性を有するものであれば特に限定されないが、金属材料であることが望ましい。
【００２９】
転換子２０は、バネ３０により滑動棒４０を可動接片８０上に常時付勢した状態で揺動する。また、滑動棒４０は、転換子２０の揺動に伴い先端部４２が一端部８１上を往復するように、可動接片８０上を滑動するまた、可動接片８０は、先端部４２が共通端子７０の係止部分を越える度に、軸Ｂの回りに回動するシーソー動作を行う。
【００３０】
次にボタン１００について説明する。ボタン１００は転換子２０を収容保持する凹部１０１を有する。ボタン１００は軸Aを挟む２つの操作面１０２、１０３を有している。ユーザは、操作面１０２、１０３のいずれか一方を押圧することより、転換子２０を軸Ａの回りに揺動させて固定接点６０と可動接点９０とを接触または開離させる。なお、転換子２０とボタン１００とは一体部品として形勢してもよい。なお、ボタン１００の材質は、特に限定されず、公知な樹脂、金属または非金属であってもよい。
【００３１】
次にロッカスイッチ２の作用について説明する。図８の上図が離間状態、下図が接触状態を示す。滑動棒４０は、図８に示すように、先端部４２の固定接点６０からの高さが基端部４１の固定接点６０からの高さよりも高くなる上傾斜姿勢（図８下図）と先端部４２の固定接点６０からの高さが基端部４１の固定接点の高さよりも低くなる下傾斜姿勢（図８下図）とを交互に繰り返すように、可動接片８０上を滑動する。
【００３２】
ロッカスイッチ２は、図８に示すように、滑動棒４０が上方姿勢となるとき固定接点６０と可動接点９０とが開離し、滑動棒４０が下方姿勢となるとき固定接点６０と可動接点９０とが接触する。
【００３３】
このように、ロッカスイッチ２は、滑動棒４０を常時傾斜した状態で傾動させ、滑動棒４０と可動接点９０とは軸A方向にオフセットさせ、滑動棒４０の可動領域を転換子２０の可動領域内に含ませ、固定接点６０から離間した可動接点９０を収容孔２４に収容することにより、低背化を実現するスイッチである。
【００３４】
本発明の一実施形態であるスイッチ取付構造１について説明する。本発明の一実施形態である。スイッチ取付構造１はフランジ部１２とパネル係止部１３とで構成される。
【００３５】
パネル係止部１３は４つの係止片１３Ａから構成されている。係止片１３Ａはハウジング１０の底面１０Ｅ側に固定端部１３Ｂと、開口面１０Ａ側に自由端部１３Ｃと、固定端部１３Ｂと自由端部１３Ｃとの間の中央部１３Ｄとからなる。
【００３６】
係止片１３Ａは、固定端部１３Ｂから自由端部１３Ｃに向けて、側面１０Ｄから外方へ延伸している。これにより、係止片１３Ａは、自由端部１３Ｃを側面１０Ｄへ近付けるように撓ませると、元の姿勢に戻ろうとする復帰力を生じさせる。なお、図５は、理解を容易にするため、接触端子５０および共通端子７０の図示は省略している。
【００３７】
また、自由端部１３Ｃおよび中央部１３Ｄの外表面には複数の段部１３Ｅが形成されている。パネル係止部１３は、係止片１３Ａを撓ませた状態で段部１３Ｅを取付孔の周面に当接させることにより、ロッカスイッチ２を固定する。パネル係止部１３は、段部１３Ｅを自由端部１３Ｃおよび中央部１３Ｄの両方に形成することにより、パネルの厚みのばらつきに対応する。
【００３８】
また、固定端部１３Ｂは、ハウジング１０の中心（不図示）を通る中心軸Ｃに対して傾いた方向に延伸している。中心軸Ｃは、底面１０Ｅから開口面１０Ａの方向へ延び且つハウジング１０の中心を通っている。ここで、ハウジング１０の中心は中心軸Ｃと直交する断面中心である。また、中央部１３Ｄは中心軸Ｃに平行に延伸している。そして、自由端部１３Ｃは中心軸Ｃと直交する方向に延伸している。
【００３９】
パネル係止部１３は、中心軸Ｃを含む平面Ｐに対して対象な形状を有する２つの係止片１３Ａの対で形成される。また、パネル係止部１３は、互いに対向する側面１０Ｄに中心軸Ｃに対して回転対称となるように形成されている。本実施形態において、２つの係止片１３Ａの対は、中心軸Ｃに対して互いに１８０度回転させた位置に形成されているが（２相回転対称）、９０度回転させた位置（４相回転対称）に形成してもよい。
【００４０】
また、パネル係止部１３は、中心軸Ｃに対して傾いて延伸する係止片１３Ａで構成すればよい。したがって、図９に示すように、固定端部１３Ｂ、中央部１３Ｄおよび自由端部１３Ｃが略直線状に延伸してもよい。さらに、係止片１３Ａは、固定端部１３Ｂから自由端部１３Ｃに向けて、平面Ｐから離れる方向に延伸してもよく（図９上図）、平面Ｐに近付く方向に延伸してもよい（図９下図）。
【００４１】
また、パネル係止部１３は、対をなす必要はなく、図１０に示すように、互いに１８０度回転させた位置に１つの係止片１３Ａをそれぞれ形成してもよい。図１０の左上図は略円柱状のハウジング１０の側面図、左下図は略円柱状のハウジング１０の底面図、右上図は略直方体のハウジング１０の側面図、右下図は略直方体のハウジング１０の底面図をそれぞれ示している。なお、図９および図１０は、理解を容易にするため、ハウジング１０のみを図示し、他の部品を省略している。
【００４２】
以上に説明した通り、本実施形態によれば、それぞれの係止片１３Ａが中心軸Ｃに対して傾いた方向に延びているため、固定端部１３Ｂと自由端部１３Ｃとの距離を長くなり、係止片１３Ａを破損することなく、低背なロッカスイッチ２をパネルに取り付けることができる。
【００４３】
また、本実施形態によれば、それぞれの係止片１３Ａは、中心軸Ｃに対して回転対称な位置に形成したり、または対を成して形成することにより、偏った姿勢をなすことなく、ロッカスイッチ２をパネルに取り付けることができる。
【００４４】
また、本実施形態においてはロッカスイッチを用いて説明したが、本発明は低背なスイッチであれば適用可能である。すなわち、本発明は、たとえば短胴型の押ボタンスイッチや、低背トグルスイッチ、低背レバースイッチ、低背スライドスイッチ等にも適用できる。本発明は、以上に説明した実施形態に限定されるものではなく、本発明の趣旨を逸脱しない限り適宜変更することができる。
【符号の説明】
【００４５】
Ｃ      中心軸
Ｐ      平面
１      スイッチ取付構造
２      ロッカスイッチ
１０    ハウジング
１３    パネル係止部（スイッチ取付構造）
１３Ａ  係止片
１３Ｂ  固定端部
１３Ｃ  自由端部
１３Ｄ  係止片中間部
１３Ｅ  段部
【図１】
2018125206.tif 000003
【図２】
2018125206.tif 000004
【図３】
2018125206.tif 000005
【図４】
2018125206.tif 000006
【図５】
2018125206.tif 000007
【図６】
2018125206.tif 000008
【図７】
2018125206.tif 000009
【図８】
2018125206.tif 000010
【図９】
2018125206.tif 000011
【図１０】
2018125206.tif 000012